(57)【要約】【課題】ロック部材の過度な変形を抑制する補強保護用機能を十分保持し、コンタクトを二重係止する機能を持つリテーナを備えたコネクタを提供すること。【解決手段】このソケットコネクタ２１の場合、ソケットコンタクト２３を保持したハウジング２２にリテーナ（補強保護用係止部材）２４を装着固定して成り、ハウジング２２は、ソケットコンタクト２３を装着時に固定保持する係止部２２ｄと、プラグコネクタ１１との嵌合接続時に相手側ハウジング１１に係止する係止用突起２２ｂ及びこれによる係止を解除する操作部２２ａが設けられた腕片部２２ｃとを一体的に有し、リテーナ２４は、ハウジング２２との装着固定時にソケットコンタクト２３に接続された電線２６を装着固定する半円筒型の電線装着部２４ｂと、操作部２２ｃ近傍に位置されてハウジング２２との装着固定時にその操作移動範囲を規制する突出部２４ａとを一体的に有する。【選択図】図１
2007109525.tif 000002
【特許請求の範囲】
【請求項１】
所定数のコンタクトを保持したハウジングに係止部材を装着固定して成るコネクタにおいて、前記ハウジングは、前記所定数のコンタクトを装着時にそれぞれ所定の位置に係止により固定保持するための係止部と、相手側コネクタとの嵌合接続に際して嵌合方向で相手側ハウジングに係止するロック部及び該ロック部による係止を解除するための該嵌合方向での操作に供される操作部が設けられた腕片部とを一体的に有し、前記係止部材は、前記ハウジングとの装着固定に際して前記所定数のコンタクトに接続された電線をそれぞれ装着するための所定数の電線装着部と、前記ハウジングとの装着固定に際して前記操作部近傍に位置されると共に、該操作部における前記嵌合方向での操作時の移動範囲を規制するための突出部とを一体的に有することを特徴とするコネクタ。
【請求項２】
請求項１記載のコネクタにおいて、前記ハウジングは、前記係止部材との装着固定に際して係止に供される係止用突出部を有し、前記係止部材は、前記ハウジングとの装着固定に際して前記係止用突出部と係合される切り欠き部が設けられた固定用係止片部を有することを特徴とするコネクタ。
【請求項３】
請求項１又は２記載のコネクタにおいて、前記所定数のコンタクトに接続された前記電線の皮覆領域の所定の範囲は、それぞれ電線用シール部材で覆われており、前記所定数の電線装着部は、それぞれ前記所定数のコンタクト側の端面が前記電線用シール部材の端面と当接されることにより該電線用シール部材を介して該所定数のコンタクトを前記所定の位置で保持されるように押圧することを特徴とするコネクタ。
【発明の詳細な説明】
【技術分野】
【０００１】
本発明は、主として所定数のコンタクトを保持したハウジングに補強保護用の係止部材を装着して成るコネクタであって、詳しくはコネクタ同士の嵌合をロックするロック部材の過度な変形を抑制して各コンタクトへの押し込み機能を持たせたコネクタに関する。
【背景技術】
【０００２】
従来、この種のコネクタとしては、例えば防水機能と係止機能との信頼性を高めた二重構造のもの（特許文献１参照）や、多極セパレート型のものにおけるダミー栓の挿入の有無を容易にして確実に検知できるようにしたもの（特許文献２参照）等が挙げられる。
【０００３】
ところで、特許文献１のような二重係止構造の場合、ハウジングの内部に挿入装着される二重係止部材に対して、端子に接続されたケーブル（電線結合部材）が固定保持される構造になっているが、こうした場合には一般に電線結合部材の挿入装着により二重係止部材やハウジングが過度に変形されるのを防止するための対策が施されている。
【０００４】
図１０は、従来のコネクタ用ハウジング３２に適用される変形防止構造（文献公知に係る発明でないが、一般的に適用されている構造）を例示した斜視図である。このハウジング３２の場合、電線結合部材における端子を所定の装着箇所に挿入固定する際、ハウジング本体における係止用部分が過度に変形されるのを防止するためにハウジング３２に補強保護用ブリッジ部３２ａを設けている。
【０００５】
これに対し、特許文献２のような多極セパレート型構造の場合においても同様に、電線結合部材における端子を所定の装着箇所に挿入固定する際、パッキンやカバー以外にハウジング本体における係止用部分が過度に変形されるのを防止するための対策が必要視される。
【０００６】
図１１は、従来のコネクタ用ハウジングに適用される補強保護用の係止部材としてのリテーナの幾つかのタイプ（文献公知に係る発明でないが、一般的に適用されている構造）を種別に示した外観斜視図であり、同図（ａ）はプリセットタイプに関するもの，同図（ｂ）はヒンジタイプに関するもの，同図（ｃ）はセパレートタイプに関するものである。即ち、図１１（ａ）に示されるプリセットタイプのリテーナ３４、図１１（ｂ）に示されるヒンジタイプのリテーナ３５ａ，３５ｂ、及び図１１（ｃ）に示されるセパレートタイプのリテーナ３６の何れにおいても、それぞれハウジングにおける所定の装着箇所に電線結合部材における端子（コンタクト）を直接押し込むようになっている。
【０００７】
【特許文献１】実開平６−３８１７１号公報（要約、図１）
【特許文献２】特開平７−１２２３３１号公報（要約、図１）
【発明の開示】
【発明が解決しようとする課題】
【０００８】
上述した特許文献１や特許文献２に係るコネクタの場合、何れについても或る程度の防水機能を有するものであっても、構造上において補強保護用の対策が施されていないため、コネクタ同士の嵌合をロックするロック部材が過度に変形されるのを安全に防止できないという難点があり、この問題を対策したコネクタの基本構造である図１０に示すハウジングに適用された変形防止構造としての補強保護用ブリッジ部を有するものや、或いは図１１（ａ）〜（ｂ）に示したリテーナを備えたものについては、何れもロック部材を保護用に用いるもの、或いはコンタクトを二重係止するものについては別々に形成していたことにより、構造が複雑になってしまうという問題がある。
【０００９】
本発明は、このような問題点を解決すべくなされたもので、その技術的課題は、ロック部材の過度な変形を抑制するための補強保護用機能を十分に保持しつつコンタクトの二重係止を行うことができるコネクタを提供することにある。
【課題を解決するための手段】
【００１０】
本発明によれば、所定数のコンタクトを保持したハウジングに係止部材を装着固定して成るコネクタにおいて、ハウジングは、所定数のコンタクトを装着時にそれぞれ所定の位置に係止により固定保持するための係止部と、相手側コネクタとの嵌合接続に際して嵌合方向で相手側ハウジングに係止するロック部及び該ロック部による係止を解除するための該嵌合方向での操作に供される操作部が設けられた腕片部とを一体的に有し、係止部材は、ハウジングとの装着固定に際して所定数のコンタクトに接続された電線をそれぞれ装着するための所定数の電線装着部と、ハウジングとの装着固定に際して操作部近傍に位置されると共に、該操作部における嵌合方向での操作時の移動範囲を規制するための突出部とを一体的に有するコネクタが得られる。
【００１１】
又、本発明によれば、上記コネクタにおいて、ハウジングは、係止部材との装着固定に際して係止に供される係止用突出部を有し、係止部材は、ハウジングとの装着固定に際して係止用突出部と係合される切り欠き部が設けられた固定用係止片部を有するコネクタが得られる。
【００１２】
更に、本発明によれば、上記何れかのコネクタにおいて、所定数のコンタクトに接続された電線の皮覆領域の所定の範囲は、それぞれ電線用シール部材で覆われており、所定数の電線装着部は、それぞれ所定数のコンタクト側の端面が電線用シール部材の端面と当接されることにより該電線用シール部材を介して該所定数のコンタクトを所定の位置で保持されるように押圧するものであるコネクタが得られる。
【発明の効果】
【００１３】
本発明のコネクタの場合、ロック部材の過度な変形を抑制するための補強保護用機能を十分に保持し、コンタクトの二重係止ができるものとなる。
【発明を実施するための最良の形態】
【００１４】
本発明の最良の形態に係るコネクタは、所定数のコンタクトを保持したハウジングに補強保護用の係止部材を装着固定して成る基本構造のものにおいて、ハウジングについては、各コンタクトを装着時にそれぞれ所定の位置に係止により固定保持するための係止部と、相手側コネクタとの嵌合接続に際して嵌合方向で相手側ハウジングに係止するロック部及びこのロック部による係止を解除するための嵌合方向での操作に供される操作部が設けられた腕片部とを一体的に有するようにし、係止部材については、ハウジングとの装着固定に際して各コンタクトに接続された電線をそれぞれ装着するための所定数の電線装着部と、ハウジングとの装着固定に際して操作部近傍に位置されると共に、操作部における嵌合方向での操作時の移動範囲を規制するための突出部とを一体的に有するようにしたものである。
【００１５】
但し、このコネクタにおいて、ハウジングについては、係止部材との装着固定に際して係止に供される係止用突出部を有するようにした上、係止部材については、ハウジングとの装着固定に際して係止用突出部と係合される切り欠き部が設けられた固定用係止片部を有するようにすることが好ましく、更に所定数のコンタクトに接続された電線の皮覆領域の所定の範囲については、それぞれ電線用シール部材で覆った上、各電線装着部については、それぞれ各コンタクト側の端面が電線用シール部材の端面と当接されることにより電線用シール部材を介して各コンタクトを所定の位置で保持されるように押圧することが好ましい。
【００１６】
以下は、具体的な実施例を挙げ、本発明のコネクタについて、より詳細に説明する。
【実施例１】
【００１７】
図１は本発明の実施例１に係る防水コネクタ（ソケットコネクタ２１）の基本構造を相手側コネクタ（プラグコネクタ１１）との嵌合状態で一部破断して示した側面断面図であり、図２はこの防水コネクタ（ソケットコネクタ２１）に備えられるハウジング２２における外観構造をソケットコンタクト２３が装着された状態として示したもので、同図（ａ）は上面方向からの平面図に関するもの，同図（ｂ）は嵌合方向手前側からの正面図に関するもの，同図（ｃ）は側面図に関するもの，同図（ｄ）は背面図に関するものである。又、図３はこの防水コネクタ（ソケットコネクタ２１）のハウジング２２に装着される係止部材としてのリテーナ２４の外観構造を示したもので、同図（ａ）は背面図に関するもの，同図（ｂ）は側面図に関するもの，同図（ｃ）は底面方向からの平面図に関するものである。更に、図４は、相手側コネクタ（プラグコネクタ１１）に備えられる防水用シール部材１４の外観構造を示したもので、同図（ａ）は嵌合方向手前側からの正面図に関するもの，同図（ｂ）は上面方向からの平面図に関するもの，同図（ｃ）は背面図に関するものである。
【００１８】
各図を参照すれば、この防水コネクタとしてのソケットコネクタ２１は、所定数（ここでは２極用の２本）のソケットコンタクト２３を保持したハウジング２２に補強保護用の係止部材としてのリテーナ２４を装着固定して成る基本構造となっており、ハウジング２２については、各ソケットコンタクト２３を装着時にそれぞれ所定の位置に係止により固定保持するための所定数（ここでは２箇所）の係止部２２ｄと、相手側コネクタであるプラグコネクタ１１との嵌合接続に際して嵌合方向で相手側ハウジング１１に係止するロック部として働く係止用突起２２ｂ及びこれによる係止を解除するための嵌合方向での操作に供される操作部２２ａが設けられた腕片部２２ｃを備えたロック部材と、リテーナ２４との装着固定に際して係止に供される係止用突出部２２ｅとを一体的に有し、リテーナ２４については、ハウジング２２との装着固定に際して各ソケットコンタクト２３に接続された電線２６をそれぞれ装着するための所定数（ここでは２箇所）の半円筒型の電線装着部２４ｂと、ハウジング２２との装着固定に際して操作部２２ｃ近傍に位置されると共に、操作部２２ｃにおける嵌合方向での操作時の移動範囲を規制するための突出部２４ａと、ハウジング２２との装着固定に際して係止用突出部２２ｅと係合される切り欠き部が設けられた固定用係止片部２４ｃとを一体的に有するものとなっている。
【００１９】
即ち、このソケットコネクタ２１は、プラグコネクタ１１の各プラグコンタクト１３がそれぞれ挿入接触されるソケットコンタクト２３、並びにそれと同数分の電線２６を用い、各電線２６の先端側部分に予め弾性材としてのシールゴム等による防水栓として働く電線用シール部材２５をそれぞれ通した状態にしておき、各電線２６の皮覆を剥がした導電線部を各ソケットコンタクト２３の中途部分に対して半田や圧接により接続固定した上、各ソケットコンタクト２３における各電線２６に対するかしめ固定部分となる各電線２６の皮覆領域の所定の範囲をそれぞれ電線用シール部材２５で覆う状態にしてかしめ固定部分をかしめ固定して電線結合部材のハウジング２２内への所定箇所における装着固定を済ませた後、各電線２６を幾分外方へ引き寄せて各ソケットコンタクト２３が所定の位置で係止部２２ｄにより係止させるように位置決めし、更にハウジング２２に対する電線用シール部材２５側寄り部分外方からリテーナ２４を嵌合装着することによって組み立てられるもので、嵌合方向側とは反対側の背面側を強固な防水構造としている。この組み立て状態では、リテーナ２４の固定用係止片部２４ｃにおける切り欠き部にハウジング２２の係止用突出部２２ｅが係合すると共に、電線装着部２４ｂにおける各ソケットコンタクト２３側の端面が電線用シール部材２５の端面と当接され、これによって電線装着部２４ｂが電線用シール部材２５を介して各ソケットコンタクト２３を所定の位置で保持されるように押圧する構造となっているため、ロック部材の過度な変形を抑制するための補強保護用機能を十分に保持しつつ高い防水機能を持ち、しかも外部から振動が加えられても極めてガタつきが発生し難くて耐振動性が優れたものとなっている。
【００２０】
これに対し、プラグコネクタ１１は、所定数（ここでも２極用の２本）のプラグコンタクト１３を保持したハウジング１２内に弾性を有するゴム材等による防水用シール部材１４を装着固定して成る基本構造となっており、防水用シール部材１４については、相手側コネクタであるソケットコネクタ２１との嵌合接続に際して嵌合方向で相手側ハウジング２２の先端側端部と当接する第１の当接部Ｍ１、並びにハウジング２２内に収納保持されて各プラグコンタクト１３とそれぞれ接触される各ソケットコンタクト２３の先端側端部と当接すると共に、各ソケットコンタクト２３をハウジング２２の内壁に対して押圧する第２の当接部Ｍ２を有するものとなっている。
【００２１】
この防水用シール部材１４における第２の当接部Ｍ２は、段差を持つ形状であると共に、この段差部分で各ソケットコンタクト２３を嵌合方向（各ソケットコンタクト２３の延在方向）及びその嵌合方向とは垂直な面方向へ押圧するものとなっている。防水用シール部材１４自体は、その他にソケットコネクタ２１との嵌合接続状態にあって、第１の当接部Ｍ１及び第２の当接部Ｍ２の間の部分に形成された側面断面が凹凸する起伏形状の凸部によりハウジング２２の先端側部分をハウジング１２の内壁に対して押圧するようになっている。更に、防水用シール部材１４自体は、図４（ａ）〜（ｃ）に示されるように、本体部分が各プラグコンタクト１３の数に対応（ここでは２つ）する略丸棒状に延在した箇所を略中央部分の鍔部で一体的に結合した形状となっており、略丸棒状に延在する延在部の所定箇所には略中央部分の鍔部を含めて背面側から正面側に向けて各プラグコンタクト１３を挿入装着するための貫通穴が設けられ、こうした構造によって各プラグコンタクト１３毎の防水機能を高められるようになっている。
【００２２】
このような互いに防水構造を持つソケットコネクタ２１とプラグコネクタ１１とを嵌合接続する場合、防水用シール部材１４における第１の当接部Ｍ１がハウジング２２の嵌合方向の先端側端部と当接する以外、第２の当接部Ｍ２が各ソケットコンタクト２３の嵌合方向の先端側端部と当接し、且つ各ソケットコンタクト２３をハウジング２２の内壁に対して押圧するように働き、しかも第１の当接部Ｍ１及び第２の当接部Ｍ２の間に形成された凸部がハウジング２２の嵌合方向の先端側部分をハウジング１２の内壁に対して押圧するように働く構造となっているため、嵌合接続状態では防水用シール部材１４による各ソケットコンタクト２３のハウジング２２の内壁に対する押圧、及びハウジング２２のハウジング１２の内壁に対する押圧が構造上において同時に相乗効果的に得られて圧縮効果が高められ、ソケットコネクタ２１が嵌合接続係止された後には各ソケットコンタクト２３のガタつきが効果的に阻止される上、押し戻しによる動き（移動）が阻止されて強固に固定される。このような結果として、プラグコネクタ１１は、ソケットコネクタ２１との嵌合接続状態で基本構造上におけるシール機能が高められ、嵌合外部から振動が加えられても極めてガタつきが発生し難くて耐振動性が優れたものとなると共に、経年変形が起こり難く、防水機能についても、極めて向上するようになる。
【００２３】
図５は、上述したソケットコネクタ２１に対するプラグコネクタ１１の嵌合接続の様子について、各ソケットコンタクト２３を含む電線結合部材（以下も同様であるが、上述したようにソケットコンタクト２３に接続された電線２６及びそれらを覆った電線用シール部材２５を含む構成を示すもの）を取り外した状態としてソケットコネクタ２１を手前にして示した斜視図であり、同図（ａ）は全体の外観斜視図に関するもの，同図（ｂ）は側面方向を破断して内部を露呈して示した破断斜視図に関するものである。ここでは、図５（ａ）に示される表面上の外観構造からは嵌合構造が見えなくなっているが、表面上ではハウジング２２の腕片部２２ｃにおける操作部２２ａが露呈されており、リテーナ２４における突出部２４ａ，電線装着部２４ｂ，及び固定用係止片部２４ｃが一体的に形成されている様子が示されており、図５（ｂ）を参照すれば、上述した通りにハウジング１２の嵌合凹部内に装着固定された防水用シール部材１４における第１の当接部Ｍ１がハウジング２２の嵌合方向の先端側端部と当接すると共に、第１の当接部Ｍ１及び第２の当接部Ｍ２の間に形成された凸部がハウジング２２の嵌合方向の先端側部分をハウジング１２の内壁に対して押圧するように働く様子が示されている。
【００２４】
図６は、上述したソケットコネクタ２１に対するプラグコネクタ１１の嵌合接続の様子について、各ソケットコンタクト２３を含む電線結合部材を装着した状態として側面方向を一部破断して内部を露呈して示した破断斜視図であり、同図（ａ）はソケットコネクタ２１を手前とする方向からの破断斜視図に関するもの，同図（ｂ）はプラグコネクタ１１を手前とする方向からの破断斜視図に関するものである。ここでは、図６（ａ）及び図６（ｂ）を参照すれば、上述した通りにハウジング１２の嵌合凹部内に装着固定された防水用シール部材１４における第２の当接部Ｍ２の段差部分が各ソケットコンタクト２３の嵌合方向の先端側端部と当接し、且つ各ソケットコンタクト２３をハウジング２２の内壁に対して押圧するように働き、具体的には各ソケットコンタクト２３を嵌合方向及びその嵌合方向とは垂直な面方向へ押圧する様子が示されている。
【００２５】
以下は、上述したソケットコネクタ２１に備えられる各部の外観構造を詳細に説明する。
【００２６】
図７は、ソケットコネクタ２１に備えられるハウジング２２の外観を示した斜視図であり、同図（ａ）は嵌合方向に関するもの，同図（ｂ）は背面方向に関するものである。ここでは、ハウジング２２単体の外観を示しており、細部を説明すれば、図７（ａ）に示される嵌合方向では各ソケットコンタクト２３を挿入装着する部分が開口となっている様子を示しており、図７（ｂ）に示される背面方向では所定箇所に各ソケットコンタクト２３をそれぞれ接続した各電線２６を挿入するための孔部が設けられた様子を示している。
【００２７】
図８は、ソケットコネクタ２１に備えられるソケットコンタクト２３を含む電線結合部材の外観を背面方向から示した斜視図である。ここでは、上述したように電線２６の皮覆を剥した電線部分をソケットコンタクト２３の所定の箇所に接続した上、電線２６の皮覆領域の所定の範囲を電線用シール部材２５で覆う状態にしてかしめ固定部分をかしめ固定することにより、電線結合部材を得た様子を示している。因みに、ここでのソケットコンタクト２３における嵌合方向先端側の最も背高な突出した部分から繋がる段差を成す部分の背高方向壁面は、ハウジング２２に挿入装着された後に外方へ引き出されるときに係止部２２ｄの先端部分に当接係止されるもので、この状態でハウジング２２内でソケットコンタクト２３が位置決めされるようになっている。
【００２８】
図９は、ソケットコネクタ２１に備えられるリテーナ２４の外観を示した斜視図であり、同図（ａ）は嵌合方向に関するもの，同図（ｂ）は背面方向に関するものである。ここでは、リテーナ２４単体の外観を示しており、細部を説明すれば、図９（ａ）に示される嵌合方向及び図９（ｂ）に示される背面方向において、リテーナ２４は、嵌合方向先端側から幾分隔たった箇所から背面に及んで帯状に延在するように形成された切り欠き部を有する下面板状片となる固定用係止片部２４ｃに対して嵌合方向先端側に突出部２４ａが形成された上面板状片が対向し、嵌合方向手前側内方を向いて突出するように所定の間隔で並設された電線装着部２４ｂを有する背面板状片によりこれらの板状片間が繋がれるように、各板状片を一体的に形成した構造となっている様子を示している。
【００２９】
尚、上述した実施例１に係るソケットコネクタ２１（プラグコネクタ１１についても同様である）の場合、２極用に２つのソケットコンタクト２３（プラグコネクタ１１の場合には２つのプラグコンタクト１３）を備えた場合を例示したが、３極以上の多極用の構造とするために各部を変形することもできるので、本願発明のコネクタは実施例１で説明した形態に限定されない。又、実施例１では防水コネクタについて説明したが、防水タイプでない通常のコネクタにも適用できる。更に、実施例１ではソケットコンタクト２３を固定し、弾性変位する係止部２２ｄをハウジング２２に設けた場合を説明したが、弾性変位する係止部をソケットコンタクト２３側に設けるように設計変更しても良い。
【図面の簡単な説明】
【００３０】
【図１】本発明の実施例１に係る防水コネクタの基本構造を相手側コネクタとの嵌合状態で一部破断して示した側面断面図である。
【図２】本発明の実施例１に係る防水コネクタに備えられるハウジングの外観構造をソケットコンタクトが装着された状態として示したもので、（ａ）は上面方向からの平面図に関するもの，（ｂ）は嵌合方向手前側からの正面図に関するもの，（ｃ）は側面図に関するもの，（ｄ）は背面図に関するものである。
【図３】図２に示す防水コネクタのハウジングに装着される係止部材としてのリテーナの外観構造を示したもので、（ａ）は背面図に関するもの，（ｂ）は側面図に関するもの，（ｃ）は底面方向からの平面図に関するものである。
【図４】図１に示す相手側コネクタに備えられる防水用シール部材の外観構造を示したもので、（ａ）は嵌合方向手前側からの正面図に関するもの，（ｂ）は上面方向からの平面図に関するもの，（ｃ）は背面図に関するものである。
【図５】図２に示す防水コネクタに対する相手側コネクタの嵌合接続の様子について、ソケットコンタクトを含む電線結合部材を取り外した状態としてコネクタを手前にして示した斜視図であり、（ａ）は全体の外観斜視図に関するもの，（ｂ）は側面方向を破断して内部を露呈して示した破断斜視図に関するものである。
【図６】図２に示す防水コネクタに対する相手側コネクタの嵌合接続の様子について、ソケットコンタクトを含む電線結合部材を装着した状態として側面方向を一部破断して内部を露呈して示した破断斜視図であり、（ａ）はコネクタを手前とする方向からの破断斜視図に関するもの，（ｂ）は相手側コネクタを手前とする方向からの破断斜視図に関するものである。
【図７】図２に示す防水コネクタに備えられるハウジングの外観を示した斜視図であり、（ａ）は嵌合方向に関するもの，（ｂ）は背面方向に関するものである。
【図８】図２に示す防水コネクタに備えられるソケットコンタクトを含む電線結合部材の外観を背面方向から示した斜視図である。
【図９】図２に示す防水コネクタに備えられるリテーナの外観を示した斜視図であり、（ａ）は嵌合方向に関するもの，（ｂ）は背面方向に関するものである。
【図１０】従来のコネクタ用ハウジングに適用される変形防止構造を例示した斜視図である。
【図１１】従来のコネクタ用ハウジングに適用される補強保護用の係止部材としてのリテーナの幾つかのタイプを種別に示した外観斜視図であり、（ａ）はプリセットタイプに関するもの，（ｂ）はヒンジタイプに関するもの，（ｃ）は別体タイプに関するものである。
【符号の説明】
【００３１】
１１  プラグコネクタ
１２，２２，３２  ハウジング
１３  プラグコンタクト
１４  防水用シール部材
２１  ソケットコネクタ
２２ａ  操作部
２２ｂ  係止用突起
２２ｃ  腕片部
２２ｄ  係止部
２２ｅ  係止用突出部
２３  ソケットコンタクト
２４  リテーナ
２４ａ  突出部
２４ｂ  電線装着部
２４ｃ  固定用係止片部
２５  電線用シール部材
２６  電線
３２ａ  補強保護用ブリッジ部
【図１】
2007109525.tif 000003
【図２】
2007109525.tif 000004
【図３】
2007109525.tif 000005
【図４】
2007109525.tif 000006
【図５】
2007109525.tif 000007
【図６】
2007109525.tif 000008
【図７】
2007109525.tif 000009
【図８】
2007109525.tif 000010
【図９】
2007109525.tif 000011
【図１０】
2007109525.tif 000012
【図１１】
2007109525.tif 000013